(57)【要約】【課題】  処理槽内の収容物を効率よく攪拌でき、処理槽の手入れが容易であるとともに、簡単な構造よりなる、小型で安価な家庭用生ごみ処理機を提供する。【解決手段】  厨芥を分解促進材により分解処理する家庭用生ごみ処理機１において、上側が開口した外槽４の内部に、外槽４に対して回転一体に、上側が開口した略円筒状の処理槽１３を挿入する。処理槽１３を外槽４から着脱可能に構成し、かつ、外槽４の回転軸を傾斜させる。この処理槽１３の内周には、処理槽１３に対して回転一体に攪拌羽根を取り付ける。この処理槽１３の開口部を蓋部１４で覆って上記外槽４を電動モータ５で回転させる。【選択図】  図１
2006150173.tif 000002
【特許請求の範囲】
【請求項１】
厨芥を分解促進材により分解処理する家庭用生ごみ処理機において、
上側が開口した外槽と、
上記外槽の内部に該外槽に対して回転一体に配設され、上側が開口した略円筒状の処理槽と、
上記処理槽の開口部を覆う蓋部と、
上記処理槽の内周に接するように該処理槽に対して回転一体に取り付けられた板状の攪拌羽根と、
上記外槽を回転させる回転手段とを備え、
上記処理槽は上記外槽から着脱可能に構成され、かつ、上記外槽の回転軸が傾斜していることを特徴とする家庭用生ごみ処理機。
【請求項２】
請求項１の家庭用生ごみ処理機において、
上記外槽の回転軸が水平面に対し３０度以上４０度以下に傾斜していることを特徴とする家庭用生ごみ処理機。
【請求項３】
請求項１または２の家庭用生ごみ処理機において、
上記外槽と上記処理槽との間には断熱材が設けられていることを特徴とする家庭用生ごみ処理機。
【請求項４】
請求項１〜３のいずれか一つの家庭用生ごみ処理機において、
上記攪拌羽根は上記処理槽から着脱可能に構成されていることを特徴とする家庭用生ごみ処理機。
【請求項５】
請求項４の家庭用生ごみ処理機において、
上記処理槽が家庭用の樹脂製バケツで構成されていることを特徴とする家庭用生ごみ処理機。
【請求項６】
請求項５の家庭用生ごみ処理機において、
上記処理槽が、容量８リットル以下のバケツで構成されていることを特徴とする家庭用生ごみ処理機。
【請求項７】
請求項１〜６のいずれか一つの家庭用生ごみ処理機において、
上記回転手段は乾電池式の電動モータであることを特徴とする家庭用生ごみ処理機。
【発明の詳細な説明】
【技術分野】
【０００１】
本発明は、厨芥を分解処理する家庭用生ごみ処理機に関する。
【背景技術】
【０００２】
従来、家庭用生ごみ処理機は、処理槽の内部に、有機物を分解する微生物や酵素を含んだ分解促進材を収容し、この分解促進材と投入される厨芥（有機物）とを、処理槽内に配設した攪拌羽根により攪拌する構成となっている。これらの分解促進材と厨芥とを含む収容物の攪拌によって、微生物が厨芥を分解するのに必要な酸素を微生物に供給したり、厨芥を発酵させる酵素を、厨芥全体に行き渡らせている。また、一般に厨芥の約８０％は水分であり、分解に際して水分を処理槽の外部に放出させる必要がある。そこで、処理槽内における収容物の深部の水分まで放出させるためには、収容物を適度に攪拌して、深部の収容物を上部に出し、その水分の放出効率を上げる必要がある。すなわち、この種の家庭用生ごみ処理機における攪拌には、微生物への酸素の供給、酵素の分散および水分放出の役割があり、攪拌は家庭用生ごみ処理機には必須の機能となっている。
【０００３】
この種の家庭用生ごみ処理機においては、従来では、例えば、特許文献１のように、処理槽内に水平に延びる回転軸に、複数枚の攪拌羽根を取り付け、この攪拌羽根を回転させることにより、収容物を攪拌する構成となっている。このように、回転軸が水平または垂直である構成が一般的である。
【特許文献１】特開平８−１０３７５２号公報
【発明の開示】
【発明が解決しようとする課題】
【０００４】
しかしながら、従来の家庭用生ごみ処理機では、厨芥を分解促進材中に分散させるためには、処理槽の底部から処理槽の上部にわたるような、大きな攪拌羽根で掻きこむ必要があり、攪拌羽根の構造が大掛かりとなる。このため、家庭用生ごみ処理機本体が大型化し、高価となる。また、攪拌羽根の構造が大掛かりであるため、この攪拌羽根の動力の消費電力も大きくなる。さらに、処理槽が外槽に固定されているため、処理槽および攪拌羽根の手入れがしにくく、残存物による臭いや汚れの問題もあった。
【０００５】
本発明は、かかる諸点に鑑みてなされたものであり、その目的とするところは、処理槽内の収容物の攪拌効率がよく、処理槽の手入れが容易であるとともに、簡単かつ小型な構造で安価な家庭用生ごみ処理機を提供することにある。
【課題を解決するための手段】
【０００６】
上記の目的を達成するために、本発明では、攪拌羽根を処理槽に回転一体に取り付け、この処理槽を外槽とともに回転させるとともに、この処理槽を外槽から着脱可能に構成した。
【０００７】
具体的には、第１の発明は、厨芥を分解促進材により分解処理する家庭用生ごみ処理機を前提とし、上側が開口した外槽と、この外槽の内部に、外槽に対して回転一体に配設され、上側が開口した略円筒状の処理槽と、この処理槽の開口部を覆う蓋部と、この処理槽の内周に接するように、処理槽に対して回転一体に取り付けられた板状の攪拌羽根と、外槽を回転させる回転手段とを備え、上記処理槽を外槽から着脱可能に構成し、かつ、この外槽の回転軸が傾斜する構成とする。
【０００８】
上記の構成によると、処理槽内の厨芥および分解促進材を含む収容物の攪拌は、回転手段により外槽を回転させ、この外槽に回転一体に配設された処理槽を外槽とともに回転させて行なわれる。外槽の回転軸が傾斜しているため、この処理槽内の下部に収容された収容物は、処理槽の回転に伴って、処理槽に回転一体に取り付けられた攪拌羽根にすくい上げられる。そして、この収容物は処理槽の上部で重力により攪拌羽根から滑り落ちる。このようにすれば、収容物が適度に攪拌され、処理槽内における深部の収容物が上部に出されて、深部の収容物の水分が放出される。また、処理槽が外槽から着脱可能であるため、処理後には、処理槽を外槽から抜き出して手入れが行なわれる。
【０００９】
第２の発明は、上記外槽の回転軸が、水平面に対し３０度以上４０度以下に傾斜している構成とする。
【００１０】
すなわち、３０度未満では、処理槽を回転させて収容物を攪拌すると、収容物が処理槽を覆う蓋部の隙間からこぼれ落ちる。４０度を超えると、処理槽を回転させても、攪拌羽根が深部の収容物まですくい上げることができず、攪拌が十分に行なわれない。しかし、本発明では、外槽の回転軸の傾斜を３０度以上４０度以下としているので、処理槽を外槽とともに回転させても、収容物が処理槽からこぼれ落ちずに、適度に攪拌される。
【００１１】
第３の発明は、上記外槽と上記処理槽との間に断熱材を設ける構成とする。
【００１２】
上記の構成によると、外槽と処理槽との間の断熱材が、処理槽内を高温に保つとともに、処理槽を外槽に保持する。
【００１３】
第４の発明は、上記攪拌羽根が、上記処理槽から着脱可能な構成とする。
【００１４】
第５の発明は、上記処理槽を家庭用の樹脂製バケツで構成している。
【００１５】
第６の発明は、上記処理槽を容量８リットル以下のバケツで構成している。
【００１６】
すなわち、処理槽を容量８リットルを超えるバケツとすると、家庭用生ごみ処理機が大型となる。本発明では、処理槽を容量８リットル以下としているため、小型の家庭用生ごみ処理機となる。
【００１７】
第７の発明は、上記回転手段が乾電池式の電動モータである構成とする。
【００１８】
上記の構成によると、家庭用生ごみ処理機を商用電源につないで使用しなくても乾電池により電動モータが駆動される。
【発明の効果】
【００１９】
上記第１の発明によれば、回転軸が傾斜した処理槽を外槽とともに回転させることとしているため、処理槽内の収容物の攪拌効率を向上させることができる。また、攪拌効率がよいことから、攪拌は少ない回転数で行なわれる。また、簡単な構造で軽量な家庭用生ごみ処理機としているため、外槽を回転させる動力の消費電力を抑えることができる。さらに、構成部材が少なく、簡単な構造としているため、小型で安価な家庭用生ごみ処理機を得ることができる。さらに、処理槽を外槽から着脱可能としているため、処理後に処理槽を外槽から取り外して、清掃や交換を容易に行なうことができる。
【００２０】
上記第２の発明によれば、外槽の回転軸の傾斜を水平面に対し、３０以上４０度以下としているため、処理槽を回転させても、収容物が処理槽からこぼれ落ちることがなく、処理槽内の収容物の攪拌効率がよい家庭用生ごみ処理機を得ることができる。
【００２１】
上記第３の発明によれば、外槽と処理槽との間に断熱材を設けて、処理槽内の熱を逃がさないようにするとともに、処理槽の滑り止めを行なっている。このため、さらに攪拌効率のよい家庭用生ごみ処理機が得られる。
【００２２】
上記第４の発明によれば、攪拌羽根を処理槽から着脱可能としているため、処理後に、攪拌羽根を処理槽から取り外して、攪拌羽根の清掃や交換を容易に行なうことができる。
【００２３】
上記第５の発明によれば、処理槽を安価で入手しやすい市販の家庭用バケツで構成しているため、安価な家庭用生ごみ処理機を得ることができるとともに、処理槽から攪拌羽根を取り外せば、処理槽の交換を容易に行なうことができる。また、処理槽を軽量な樹脂製バケツとしているため、外槽を回転させる動力の消費電力をさらに抑えることができる。
【００２４】
上記第６の発明によれば、処理槽を容量８リットル以下のバケツで構成しているため、小型の家庭用生ごみ処理機を提供することができるとともに、外槽を回転させる動力の消費電力をさらに抑えることができる。
【００２５】
上記第７の発明によれば、回転手段を乾電池式の電動モータとしているため、家庭用生ごみ処理機の設置場所が限定されず、家庭用生ごみ処理機を臭いの気にならない屋外にも設置することができる。
【発明を実施するための最良の形態】
【００２６】
以下、本発明の実施形態を図面に基づいて詳細に説明する。
【００２７】
図１および図２は、本発明の実施形態に係る家庭用生ごみ処理機１を示し、この家庭用生ごみ処理機１は、板状のベースプレート２ａを有するベース部２を備えている。このベースプレート２ａの上面には、略コ字状の断面を有する固定部３が接合されている。この固定部３の側面３ａの上辺はベースプレート２ａに対して約５０度に傾斜している。
【００２８】
上記固定部３の後面３ｂには、回転手段としての乾電池式の電動モータ５が取り付けられている。この電動モータ５にはタイマー（図示せず）が内蔵されている。このタイマーは、例えば、約１２時間に一度、約５分間電動モータ５を作動させる。
【００２９】
上記電動モータ５の上面からは、電動モータ５によって回転する回転軸７（図２に示す）が延出している。この回転軸７の上端には、上側が開口した略円筒状の外槽４の底面の中心が、回転軸７と回転一体に接合されている。このことで、外槽４は回転軸７を中心に回転されるようになっている。この外槽４の回転軸７は、上記固定部３の側面３ａの上辺に対して垂直に延びて、上記ベースプレート２ａに対して約４０度に傾斜している。
【００３０】
上記外槽４の内部には、断熱材６が外槽４の内周全域にわたって貼り付けられている。この断熱材６が貼り付けられた外槽４の内部には、上側が開口した略円筒状の処理槽１３が配設されている。この処理槽１３は、断熱材６の内部へのはめ込み式であり、断熱材６が貼り付けられた外槽４から着脱可能となっている。
【００３１】
上記処理槽１３は、容量８リットル以下の家庭用の樹脂製バケツで構成されている。この処理槽１３の開口部１６には、開口部１６全体を覆う、着脱可能な蓋部１４が装着されている。この蓋部１４は、処理槽１３の開口部１６の径よりも若干大きな径を有し、開口部１６（図４に示す）の上から被せるように装着する。蓋部１４は処理槽１３に完全に固定されるものではなく、処理槽１３内の収容物８の水分が放出されるように、若干の隙間を有している。
【００３２】
上記処理槽１３には、分解促進材が投入されるようになっている。この分解促進材は、炊事場から出る野菜や魚介のくずなどの厨芥を分解処理するものとして公知のものであり、酵素や微生物などが含まれている。
【００３３】
上記断熱材６は、分解促進材に含まれる酵素の活動により上昇した処理槽１３内の温度を保温するとともに、外槽４の回転時には、処理槽１３の滑り止め材としての役割を果たす。
【００３４】
図３に示すように、上記処理槽１３の内部には、攪拌体１５が処理槽１３の内部にはめ込まれている。この攪拌体１５は処理槽１３に対して着脱可能に配設されている。図５に示すように、この攪拌体１５は、取付け部１７と攪拌羽根１８とからなる。この取付け部１７は、上記処理槽１３の開口部１６と略同径の上側円周部１９と、この上側円周部１９よりも小さな径の下側円周部２０とが、同軸上に連結部材２１によって連結されている。攪拌羽根１８は、略矩形板状の部材であり、一対の長辺１８ａ、１８ｂが処理槽１３の軸方向に対して傾斜するように、その半径方向外側の長辺１８ａの上端が上記取付け部１７の上側円周部１９に内側から接合する一方、下部が下側円周部２０に内側から接合している。これら一対の長辺１８ａ、１８ｂは、回転軸７の軸方向に対して傾いて設けられている。
【００３５】
図４に示すように、この攪拌体１５は、上記処理槽１３に下側円周部２０から挿入される。処理槽１３が下方に向かって小径となる円筒状のバケツで構成されているため、攪拌体１５は、この処理槽１３の径と、上側円周部１９の径と下側円周部２０の径とが略同径となる位置に配設され、攪拌体１５は、処理槽１３内で空回りしない程度に固定されている。
【００３６】
−運転動作−
次に、本実施形態に係る家庭用生ごみ処理機１の作用について説明する。
【００３７】
まず、外槽４に装着され、攪拌体１５が取り付けられた処理槽１３の蓋部１４を処理槽１３から取り外す。
【００３８】
次いで、処理槽１３に、厨芥を投入する。厨芥の量は、４人家族で一日に約７００グラムを目安とする。
【００３９】
上記厨芥を処理槽１３に投入する際に、分解促進材をともに投入する。この分解促進材に含まれる酵素は、厨芥と混ぜ合わされると活動して、厨芥を発酵させる一般的なものである。
【００４０】
次に、取り外しておいた蓋部１４を、処理槽１３の開口部に装着する。
【００４１】
そして、電動モータ５を作動させて、外槽４を所定のタイミングで回転させる。回転は、電動モータ５に内蔵されたタイマーによって、例えば、約１２時間に一度、約５分間行なわれ、回転速度は、１分間に約５０回転である。回転方向は、図４において矢印で示すように、時計回りの方向である。
【００４２】
上記外槽４を回転させると、この外槽４に貼り付けられた断熱材６の滑り止め効果により、断熱材６の回転とともに処理槽１３が回転する。
【００４３】
図６および図７に示すように、上記処理槽１３の内部では、処理槽１３が回転すると、この処理槽１３に取り付けた攪拌体１５が処理槽１３とともに回転する。処理槽１３の下部に収容されていた収容物８は、この攪拌体１５の攪拌羽根１８にすくい上げられる。そして、攪拌体１５が処理槽１３の上部まで回転すると、この収容物８は、重力により攪拌羽根１８から処理槽１３の下部に滑り落ちる。
【００４４】
上記回転を繰り返すことにより、分解促進材に含まれる酵素が厨芥全体に行き渡るとともに、微生物が有機物を分解するのに必要な酸素が、微生物に供給される。この酵素の活動が活発化すると、酵素の温度が約７５℃まで上昇して、厨芥に含まれる水分が放出される。この水分は、上記処理槽１３の開口部１６と蓋部１４との間隙から外部へと放出していく。
【００４５】
上記処理槽１３に、厨芥および分解促進材を投入してから約２４時間で、厨芥の第１次発酵がほぼ終了する。
【００４６】
そして、上記処理槽１３から収容物８を取り出し、袋等に収納して屋外に放置しておく。すると、この処理後の収容物８は、その後自然に第２次発酵が行なわれて、１〜２ヶ月後に堆肥として利用される。
【００４７】
−実施形態の効果−
したがって、本実施形態の家庭用生ごみ処理機１においては、回転軸７が傾斜した処理槽１３を外槽４とともに回転させることとしているため、処理槽１３内の収容物８の攪拌効率を向上させることができる。また、攪拌効率がよいことから、攪拌は少ない回数で行なわれる。また、簡単な構造で軽量な家庭用生ごみ処理機としているため、外槽４を回転させる動力の消費電力を抑えることができる。
【００４８】
また、簡単な構造であり、処理槽１３を容量８リットル以下の家庭用の樹脂製バケツで構成していることから、小型で安価な家庭用生ごみ処理機１を得ることができる。
【００４９】
さらに、処理槽１３を外槽４から着脱可能とし、攪拌羽根１８を処理槽１３から着脱可能としていることから、処理後に、処理槽１３を外槽４から取り外し、攪拌羽根１８を処理槽１３から取り外して、処理槽１３や攪拌羽根１８の清掃や交換を容易に行なうことができる。
【００５０】
また、回転手段を乾電池式の電動モータ５としているため、家庭用生ごみ処理機１の設置場所が限定されず、家庭用生ごみ処理機１を臭いの気にならない屋外にも設置することができる。
《その他の実施形態》
なお、本実施形態では、処理槽１３は、家庭用の樹脂製バケツとしたが、他の材質のバケツでもよく、例えば、金属製のバケツであってもよい。
【００５１】
また、本実施形態では、処理槽１３の回転軸７は、ベースプレート２ａに対して４０度に傾斜したものとしたが、３０度以上４０度以下に傾斜するものでもよい。
【００５２】
また、本実施形態では、攪拌体１５は、取付け部１７と攪拌羽根１８とからなり、攪拌羽根１８は略矩形板状の部材としたが、この形状に限定ない。要は、攪拌羽根１８が処理槽１３に回転一体に取り付けられればよい。
【００５３】
また、本実施形態では、回転手段は乾電池式の電動モータ５としたが、家庭用商用電源を用いる電動モータであってもよい。
【産業上の利用可能性】
【００５４】
以上説明したように、本発明は、厨芥を分解促進材により分解処理する家庭用生ごみ処理機について有用である。
【図面の簡単な説明】
【００５５】
【図１】本発明の実施形態に係る家庭用生ごみ処理機を側方から見た斜視図である。
【図２】家庭用生ごみ処理機を後方から見た斜視図である。
【図３】攪拌体を示す斜視図である。
【図４】攪拌体が配設された処理槽を上から見た平面図である。
【図５】攪拌体を上から見た平面図である。
【図６】分解処理中の家庭用生ごみ処理機を示す斜視図である。
【図７】分解処理中の家庭用生ごみ処理機を示す斜視図である。
【符号の説明】
【００５６】
１    家庭用生ごみ処理機
４    外槽
５    電動モータ（回転手段）
６    断熱材
７    回転軸
１３  処理槽
１４  蓋部
１８  攪拌羽根
【図１】
2006150173.tif 000003
【図２】
2006150173.tif 000004
【図３】
2006150173.tif 000005
【図４】
2006150173.tif 000006
【図５】
2006150173.tif 000007
【図６】
2006150173.tif 000008
【図７】
2006150173.tif 000009